(57)【要約】      （修正有）【課題】構造が簡単で組合いが容易であり、３６０度に揺れることができる他、座布団の向く方向が所定角度範囲内に変更できて、座布団が安定に支持される揺り椅子を提供すること。【解決手段】背もたれ１１１を設けた座布団１１と、弾性ユニット１２と、台座１３とから構成される揺り椅子において、前記座布団は、その底部で弾性ユニットと枢着し、前記弾性ユニットは、外力により３６０度に弾性変形することができ、その上端が前記座布団と枢着し、その下端が台座に固定され、前記台座は、座布団を安定に支持し、座布団が傾いたり仰向いたりしても倒れない。【選択図】図３
0003109249.tif 000002
【実用新案登録請求の範囲】
【請求項１】
背もたれを設けた座布団と、弾性ユニットと、台座とから構成される揺り椅子において、
前記座布団は、その底部で弾性ユニットと枢着し、
前記弾性ユニットは、外力により３６０度に弾性変形することができ、その上端が前記座布団と枢着し、その下端が台座に固定され、
前記台座は、座布団を安定に支持し、座布団が傾いたり仰向いたりしても倒れないことを特徴とする、
揺り椅子。
【請求項２】
前記座布団の底部には弾性ユニットと対応する位置制限ユニットを設けてもよく、前記位置制限ユニットの内部には付勢ピンが設けてあり、前記付勢ピンが位置制限ユニットから突出し、且つ前記弾性ユニットの上端には複数の窪み部が設けてあり、位置制限ユニットの付勢ピンが前記窪み部に当接することができ、なお、複数の前記窪み部の両側には止め部が設けてあり、前記止め部は位置制限ユニットを所定角度範囲内に制限するためのものであり、そうすると、座布団は所定角度範囲内に旋回できることを特徴とする、請求項１に記載の揺り椅子。
【請求項３】
前記台座には、弾性ユニットを中心として、座布団の背もたれの後ろ方の部分は前方の部分よりも長い延長段が設けてあることにより、座布団が安定に支持されることを特徴とする、請求項１に記載の揺り椅子。
【考案の詳細な説明】
【技術分野】
【０００１】
本考案は揺り椅子に係り、特に座布団と台座の間には３６０度に弾性変形できる弾性ユニットが設けてあり、座布団が弾性ユニットに枢着し、座布団と弾性ユニットとの間には、位置制限ユニットと、窪み部と、止め部とが設けてあることにより、座布団は所定角度範囲内に旋回でき、且つ台座の後ろ方には延長段が形成してあることにより、座布団が安定に支持される揺り椅子に関するものである。
【背景技術】
【０００２】
まず、図１を参照する。従来の揺り椅子１０は、一つの背もたれ１０１と、背もたれ１０１と一定角度で連接される座席１０２と、背もたれ１０１の左右に固定し設けられる二つの手すり１０３と、座席１０２の両側の前後端に固定し設けられる複数の支持足１０４と、複数の支持足１０４の底部と結合し円弧形に曲がられＵ字形を呈する一つ支持台座１０５とを含む。
【考案の開示】
【考案が解決しようとする課題】
【０００３】
しかしながら、従来の揺り椅子１０は、上記構成により前後だけに揺れることができるので、使用者が揺り椅子１０を使用するときには制限される感覚が強く感じた。
【課題を解決するための手段】
【０００４】
上記欠点を解決するためになされた本願の考案は、背もたれを設けた座布団と、弾性ユニットと、台座とから構成される揺り椅子において、前記座布団は、その底部で弾性ユニットと枢着し、前記弾性ユニットは、外力により３６０度に弾性変形することができ、その上端が前記座布団と枢着し、その下端が台座に固定され、前記台座は、座布団を安定に支持し、座布団が傾いたり仰向いたりしても倒れないことを特徴とする揺り椅子であることを要旨としている。
【０００５】
本願の考案では、前記座布団の底部には弾性ユニットと対応する位置制限ユニットを設けてもよく、前記位置制限ユニットの内部には付勢ピンが設けてあり、前記付勢ピンが位置制限ユニットから突出し、且つ前記弾性ユニットの上端には複数の窪み部が設けてあり、位置制限ユニットの付勢ピンが前記窪み部に当接することができ、なお、複数の前記窪み部の両側には止め部が設けてあり、前記止め部は位置制限ユニットを所定角度範囲内に制限するためのものであり、そうすると、座布団は所定角度範囲内に旋回できることを特徴とする請求項１に記載の揺り椅子であることを要旨としている。
【０００６】
本願の考案では、前記台座には、弾性ユニットを中心として、座布団の背もたれの後ろ方の部分は前方の部分よりも長い延長段が設けてあることにより、座布団が安定に支持されることを特徴とする請求項１に記載の揺り椅子であることを要旨としている。
【考案の効果】
【０００７】
本考案に係る揺り椅子によれば、次のような効果がある。
（１）構造が簡単で組合いが容易であり、従来の揺り椅子のように多数の部材を用意する必要がなく、従来の揺り椅子よりも優れた揺り効果を得ることができる。
【０００８】
（２）座布団１１と台座１３とは弾性ユニット１２により連接してあり、揺り椅子１を座るときには、座布団１１に対して勝手の方向に力を加えて弾性ユニット１２を揺れることができるので、ストレスを解消する効果が極めていい。
【０００９】
（３）本考案に係る揺り椅子１は、３６０度に揺れることができる他、揺り椅子１を座るときには、座布団１１と弾性ユニット１２との枢着点を中心として、位置制限ユニット１１２を座布団１１と共に他の窪み部１２１まで旋回すると、座布団１１の向く方向が変更できる。
【００１０】
（４）本考案に係る揺り椅子１の台座１３は、面積が広くて楕円形を呈し、且つ前記台座１３には、弾性ユニット１２を中心として、座布団１１の背もたれ１１１の後ろ方の部分は前方の部分よりも長い延長段１３１が設けてあることにより、座布団１１が安定に支持され、勝手の方向に揺れることができる。
【考案を実施するための最良の形態】
【００１１】
以下、添付図面を参照して本考案の好適な実施の形態を詳細に説明する。
【００１２】
まず、図２乃至図６を参照する。本考案に係る揺り椅子１は、図２乃至図４に示すように、座布団１１と、弾性ユニット１２と、台座１３とから構成される。
【００１３】
前記座布団１１は、後ろ方に背もたれ１１１が設けてあり、且つその底部の重心位置には弾性ユニット１２が枢着してあり、且つ弾性ユニット１２と対応する箇所では位置制限ユニット１１２を設けてあり、図５と図６に示すように、前記位置制限ユニット１１２の内部には付勢ピン１１３が設けてあり、前記付勢ピン１１３が位置制限ユニット１１２から突出する。
【００１４】
また、前記弾性ユニット１２の上端には複数の窪み部１２１が設けてあり、図５と図６に示すように、位置制限ユニット１１２の付勢ピン１１３が前記窪み部１２１に当接することができ、なお、複数の前記窪み部１２１は弾性ユニット１２を円心とする円周で等距離に配置され、複数の前記窪み部１２１の両側には止め部１２２が設けてあり、前記止め部１２２は位置制限ユニット１１２を所定角度範囲内に制限するためのものであり、そうすると、座布団１１は所定角度範囲内に旋回できる、なお、前記弾性ユニット１２には３６０度に揺れることができる螺旋段が設けてあり、弾性ユニット１２の下端が台座１３に固定される。
【００１５】
前記台座１３はほぼ楕円形を呈し、図４に示すように、台座１３には、弾性ユニット１２を中心として、座布団１１の背もたれ１１１の後ろ方の部分は前方の部分よりも長い延長段１３１が設けてあることにより、座布団１１が安定に支持される。
【００１６】
図２に示すように、背もたれ１１１を設けた座布団１１と、弾性ユニット１２と、台座１３とを揺り椅子１に組み合った後、座布団１１と台座１３とは弾性ユニット１２により連接してあり、揺り椅子１を座るときには、座布団１１に対して勝手の方向に力を加えて弾性ユニット１２を揺れることができるので、ストレスを解消する効果が極めていい。
【００１７】
また、本考案に係る揺り椅子１は、３６０度に揺れることができる他、図５と図６に示すように、揺り椅子１を座るときには、座布団１１と弾性ユニット１２との枢着点を中心として、位置制限ユニット１１２を座布団１１と共に他の窪み部１２１まで旋回すると、座布団１１の向く方向が変更できる。すなわち、座布団１１と弾性ユニット１２との接触する箇所では、付勢ピン１１３が設けた位置制限ユニット１１２と、複数の窪み部１２１とが設けてあるので、座布団１１を弾性ユニット１２の上端に枢着する場合には、座布団１１で設けた位置制限ユニット１１２の付勢ピン１１３が弾性ユニット１２の上端にある一つの窪み部１２１に当接し、これにより、座布団１１と弾性ユニット１２とは一時に定位され、なお、座布団１１を左右に旋回しようとする場合には、座布団１１と弾性ユニット１２との枢着点を中心として、位置制限ユニット１１２を座布団１１と共に他の窪み部１２１まで旋回すると、座布団１１の向く方向が変更できる。
【００１８】
また、本考案に係る揺り椅子１は、前記座布団１１を左右に旋回できる他、弾性ユニット１２にある複数の前記窪み部１２１の両側には止め部１２２を設けてもよく、前記座布団１１が一定角度に旋回すると、図５に示すように、弾性ユニット１２の止め部１２２が座布団１１にある位置制限ユニット１１２に止められ、だから、座布団１１の旋回角度は所定角度範囲内に制限される。
【図面の簡単な説明】
【００１９】
【図１】従来のものの構造の斜視図である。
【図２】本考案に係る揺り椅子の構造の斜視図である。
【図３】本考案に係る揺り椅子の正面図である。
【図４】本考案に係る揺り椅子の平面図である。
【図５】本考案に係る揺り椅子の一部の拡大下面図と、揺り椅子を旋回して止められる状態を示す下面図である。
【図６】本考案に係る揺り椅子の一部の側面断面図である。
【符号の説明】
【００２０】
（従来の部分）
１０      揺り椅子
１０１    背もたれ
１０２    座席
１０３    手すり
１０４    支持足
１０５    支持台座
（本考案の部分）
１        揺り椅子
１１      座布団
１１１    背もたれ
１１２    位置制限ユニット
１１３    付勢ピン
１２      弾性ユニット
１２１    窪み部
１２２    止め部
１３      台座
１３１    延長段
【図１】
0003109249.tif 000003
【図２】
0003109249.tif 000004
【図３】
0003109249.tif 000005
【図４】
0003109249.tif 000006
【図５】
0003109249.tif 000007
【図６】
0003109249.tif 000008